(57)【要約】【課題】送風ファンにおいてカップ部とロータホルダとを容易に組み立てる。【解決手段】インペラのカップ部内にモータ部のロータホルダ２２１が圧入される送風ファンにおいて、カップ部は上部下面に下方に突出する４つの突起を周方向に等間隔に配列して有し、ロータ部のロータホルダ２２１は蓋部２２１２に８つの固定穴２２１４を周方向に等間隔に配列して有する。インペラとロータ部との組立時には、カップ部の突起が固定穴２２１４に挿入されて先端が溶融されることによりロータホルダ２２１とインペラとが固定される。固定穴２２１４は周方向に長くされ、これにより、インペラとロータ部との位置合わせを厳密に行うことなく、カップ部とロータホルダ２２１とを容易に組み立てることができる。また、固定穴２２１４が周方向に多く設けられることによりアンバランスの修正をより柔軟に行うことができる。【選択図】図５
2009250158.tif 000002
【特許請求の範囲】
【請求項１】
送風ファンであって、
有蓋略円筒状のロータホルダを有するモータ部と、
前記ロータホルダの外側面の少なくとも一部および上面の少なくとも一部を覆う有蓋略円筒状のカップ部および前記カップ部から径方向外方に突出するとともに環状に配列された複数の翼を有するインペラと、
を備え、
前記ロータホルダの上部が、前記モータ部の中心軸を中心とする周方向に配列されるとともにそれぞれの前記周方向の長さが前記中心軸を中心とする径方向の幅よりも長い複数の穴部を有し、
前記カップ部の上部が、下面から前記ロータホルダに向かって突出して前記複数の穴部に挿入され、先端が溶融により潰されることにより前記カップ部に前記ロータホルダを固定する複数の突起を有することを特徴とする送風ファン。
【請求項２】
請求項１に記載の送風ファンであって、
前記複数の穴部の前記周方向の長さが前記複数の突起の直径の２倍以上であることを特徴とする送風ファン。
【請求項３】
請求項１または２に記載の送風ファンであって、
前記複数の穴部の数が前記複数の突起の数よりも多く、
前記複数の穴部に前記複数の突起が挿入可能な前記カップ部に対する前記ロータホルダの向きの数が、前記複数の突起の数よりも多いことを特徴とする送風ファン。
【請求項４】
請求項３に記載の送風ファンであって、
前記複数の穴部および前記複数の突起が前記周方向に等間隔に配列され、
前記複数の穴部の数が前記複数の突起の数の２以上の整数倍であることを特徴とする送風ファン。
【請求項５】
請求項１ないし４のいずれかに記載の送風ファンであって、
前記複数の穴部のうち少なくとも１つの前記周方向の長さを他の穴部の前記周方向の長さと異なるものとすることにより、前記ロータホルダにおける前記中心軸を中心とする回転のアンバランスが予め低減されていることを特徴とする送風ファン。
【請求項６】
送風ファンであって、
有蓋略円筒状のロータホルダを有するモータ部と、
前記ロータホルダの外側面の少なくとも一部および上面の少なくとも一部を覆う有蓋略円筒状のカップ部および前記カップ部から径方向外方に突出するとともに環状に配列された複数の翼を有するインペラと、
を備え、
前記ロータホルダの上部が、前記モータ部の中心軸を中心とする周方向に配列される複数の穴部を有し、
前記カップ部の上部が、下面から前記ロータホルダに向かって突出して前記複数の穴部に挿入され、先端が溶融により潰されることにより前記カップ部に前記ロータホルダを固定する複数の突起を有し、
前記複数の穴部の数が前記複数の突起の数よりも多く、
前記複数の穴部に前記複数の突起が挿入可能な前記カップ部に対する前記ロータホルダの向きの数が、前記複数の突起の数よりも多いことを特徴とする送風ファン。
【請求項７】
請求項６に記載の送風ファンであって、
前記複数の穴部および前記複数の突起が前記周方向に等間隔に配列され、
前記複数の穴部の数が前記複数の突起の数の２以上の整数倍であることを特徴とする送風ファン。
【請求項８】
請求項１ないし７のいずれかに記載の送風ファンであって、
前記複数の突起の前記先端が熱溶着または超音波溶着により溶融されて潰されていることを特徴とする送風ファン。
【発明の詳細な説明】
【技術分野】
【０００１】
本発明は、送風ファンに関連し、送風ファンは好ましくは電子機器の冷却に用いられる。
【背景技術】
【０００２】
電子機器の高性能化に伴い、電子機器の筐体内部の電子部品における発熱量は増加の一途を辿っており、電子部品の温度上昇を抑制するために冷却用の送風ファンが用いられている。送風ファンにより電子機器内部の温度上昇を抑えるためには、送風ファンの回転速度を上げて送風ファンの静圧−風量特性を向上する必要がある。一方で、回転速度の上昇に伴い送風ファンの回転体（インペラおよびモータのロータ部）の回転軸に対するアンバランスの影響による振動が増大するため、回転体の回転アンバランスの低減も重要となる。
【０００３】
従来より小型の送風ファンの回転体ではインペラに対してロータホルダを圧入する締結方式が採用されているが、大型の送風ファン等においては圧入のみによるインペラとロータホルダとの締結ではインペラの破損や抜けといった問題が懸念される。そこで、ロータホルダに貫通孔を設け、インペラに突起を設けて、貫通孔に突起を挿入して突起の先端を加熱して潰すことにより、インペラとロータホルダとを締結するという方法が採用されている。
【０００４】
例えば、特許文献１に開示されるブラシレスＤＣモータおよび特許文献２に開示される軸流ファンモータでは、羽根車（インペラ）における下方に突出する熱カシメ部によりインペラがロータヨークに固定される。特許文献３に開示されるシロッコファンモータでは羽根車のカップ状ハブ部が超音波溶着用のリブを有し、天穴を有するロータフレームにカップ状ハブ部が圧入されて、天穴に挿入されたリブが超音波溶着用ホーンによりロータフレームに溶着され、羽根車とロータフレームとが固定される。
【０００５】
なお、特許文献４に開示される送風機では、インペラの円筒状部が掛止め体を有し、円筒状のモータヨークがインペラの円筒状部に嵌め合わされて固定される際に、可撓性の掛止め体が係合することにより作業が容易とされる。
【特許文献１】特開平１−１９８２６３号公報
【特許文献２】実公平７−１３４１６号公報
【特許文献３】特開平７−１１１７５６号公報
【特許文献４】特開２００２−３９０９６号公報
【発明の開示】
【発明が解決しようとする課題】
【０００６】
ところで、送風ファンの回転体のアンバランスを修正するためには、ロータホルダとインペラとを組み合わせる際にロータホルダのアンバランスとインペラのアンバランスとが相殺されるように周方向の相対位置を調整して締結する必要があるが、特許文献１ないし４に示される組立方法では、相対位置の調整を限定的にしか行うことができず、十分なアンバランスの修正は困難である。また、ロータホルダが有する穴にインペラが有する突起を挿入する際に正確な位置合わせが必要であるため、組立作業の作業性も低い。
【０００７】
本発明は上記課題に鑑みなされたものであり、カップ部とロータホルダとの組立を容易とすることを主たる目的とし、アンバランスの修正をより柔軟に行うことも目的としている。
【課題を解決するための手段】
【０００８】
請求項１に記載の発明は、送風ファンであって、有蓋略円筒状のロータホルダを有するモータ部と、前記ロータホルダの外側面の少なくとも一部および上面の少なくとも一部を覆う有蓋略円筒状のカップ部および前記カップ部から径方向外方に突出するとともに環状に配列された複数の翼を有するインペラとを備え、前記ロータホルダの上部が、前記モータ部の中心軸を中心とする周方向に配列されるとともにそれぞれの前記周方向の長さが前記中心軸を中心とする径方向の幅よりも長い複数の穴部を有し、前記カップ部の上部が、下面から前記ロータホルダに向かって突出して前記複数の穴部に挿入され、先端が溶融により潰されることにより前記カップ部に前記ロータホルダを固定する複数の突起を有する。
【０００９】
請求項２に記載の発明は、請求項１に記載の送風ファンであって、前記複数の穴部の前記周方向の長さが前記複数の突起の直径の２倍以上である。
【００１０】
請求項３に記載の発明は、請求項１または２に記載の送風ファンであって、前記複数の穴部の数が前記複数の突起の数よりも多く、前記複数の穴部に前記複数の突起が挿入可能な前記カップ部に対する前記ロータホルダの向きの数が、前記複数の突起の数よりも多い。
【００１１】
請求項４に記載の発明は、請求項３に記載の送風ファンであって、前記複数の穴部および前記複数の突起が前記周方向に等間隔に配列され、前記複数の穴部の数が前記複数の突起の数の２以上の整数倍である。
【００１２】
請求項５に記載の発明は、請求項１ないし４のいずれかに記載の送風ファンであって、前記複数の穴部のうち少なくとも１つの前記周方向の長さを他の穴部の前記周方向の長さと異なるものとすることにより、前記ロータホルダにおける前記中心軸を中心とする回転のアンバランスが予め低減されている。
【００１３】
請求項６に記載の発明は、送風ファンであって、有蓋略円筒状のロータホルダを有するモータ部と、前記ロータホルダの外側面の少なくとも一部および上面の少なくとも一部を覆う有蓋略円筒状のカップ部および前記カップ部から径方向外方に突出するとともに環状に配列された複数の翼を有するインペラとを備え、前記ロータホルダの上部が、前記モータ部の中心軸を中心とする周方向に配列される複数の穴部を有し、前記カップ部の上部が、下面から前記ロータホルダに向かって突出して前記複数の穴部に挿入され、先端が溶融により潰されることにより前記カップ部に前記ロータホルダを固定する複数の突起を有し、前記複数の穴部の数が前記複数の突起の数よりも多く、前記複数の穴部に前記複数の突起が挿入可能な前記カップ部に対する前記ロータホルダの向きの数が、前記複数の突起の数よりも多い。
【００１４】
請求項７に記載の発明は、請求項６に記載の送風ファンであって、前記複数の穴部および前記複数の突起が前記周方向に等間隔に配列され、前記複数の穴部の数が前記複数の突起の数の２以上の整数倍である。
【００１５】
請求項８に記載の発明は、請求項１ないし７のいずれかに記載の送風ファンであって、前記複数の突起の前記先端が熱溶着または超音波溶着により溶融されて潰されている。
【発明の効果】
【００１６】
本発明ではカップ部とロータホルダとを容易に組み立てることができる。請求項２の発明では回転体のバランスの微調整を行うことができ、請求項３および６の発明では回転体のバランス修正をより柔軟に行うことができる。また、請求項４および７の発明ではロータホルダおよびインペラの設計を容易とすることができる。
【発明を実施するための最良の形態】
【００１７】
図１は本発明の第１の実施の形態に係る送風ファン１を示す縦断面図である。送風ファン１は電子機器の空冷に用いられ、送風ファン１では、図１中の上側からエアが取り込まれ、下側へと送出されるように中心軸Ｊ１方向に沿ったエアの流れが発生する。以下の説明では、中心軸Ｊ１方向において、エアが取り込まれる側である図１中の上側を「吸気側」または単に「上側」と呼び、エアが送出される側である図１中の下側を「排気側」または単に「下側」と呼ぶ。「上側」および「下側」という表現は必ずしも重力方向に対する上側および下側と一致する必要はない。
【００１８】
送風ファン１は、モータ部２、モータ部２による回転によりエアの流れを発生するインペラ３、インペラ３の外周を囲むハウジング４、および、モータ部２を支持する複数（本実施の形態では４本）の支持リブ５を備える。送風ファン１では、ハウジング４の内側にインペラ３、モータ部２および支持リブ５が配置され、支持リブ５は、モータ部２のベース部２１１の外周からハウジング４の内側面に向かって伸びるとともに周方向に配列されてベース部２１１とハウジング４とを接続する。
【００１９】
インペラ３は、モータ部２の外側を覆う有蓋略円筒状のカップ部３１、および、モータ部２の中心軸でもある中心軸Ｊ１を中心としてカップ部３１の外側面から径方向外方に突出するとともに環状に配置された複数（本実施の形態では７枚）の翼３２を有し、カップ部３１および翼３２は樹脂の射出成形により１つの部材として形成されている。なお、図１では、図示の都合上、インペラ３の翼３２および支持リブ５の概略形状を中心軸Ｊ１の左右に示し、各構成要素の断面に対する平行斜線の図示を適宜省略している。
【００２０】
モータ部２は、回転体であるロータ部２２および固定体であるステータ部２１を備え、中心軸Ｊ１に沿ってロータ部２２がステータ部２１に対して上側に位置する。ステータ部２１は、略円板状のベース部２１１、ベース部２１１の中央から上方へと突出する略円筒状の軸受保持部２１２、軸受保持部２１２の外周に取り付けられた電機子２１３、および、電機子２１３の下側に取り付けられた略円環板状の回路基板２１４を備える。回路基板２１４は、電機子２１３に電気的に接続されるとともにリード線により外部電源に接続され、ロータ部２２の回転を制御する制御回路を有する。軸受保持部２１２の内側には、軸受機構である玉軸受２１５，２１６が中心軸Ｊ１方向の上部および下部に設けられる。
【００２１】
図２はロータ部２２およびインペラ３の組立体を示す縦断面図であり、図３はロータ部２２およびインペラ３の分解図である。図２に示すように、ロータ部２２は、中心軸Ｊ１を中心とする有蓋略円筒状であって磁性体である金属製のロータホルダ２２１、ロータホルダ２２１の内側に固定される略円筒状の界磁用磁石２２２、および、ロータホルダ２２１の上部中央に上端が取り付けられたシャフト２２３を備え、シャフト２２３が玉軸受２１５，２１６（図１参照）に挿入されることによりロータ部２２が電機子２１３に対して回転可能に支持される。ロータ部２２は、ロータホルダ２２１の外側面および上面がカップ部３１に覆われることによりインペラ３と一体の部品とされる。図１に示すように、界磁用磁石２２２は、ステータ部２１の電機子２１３と径方向にて対向し、外部電源から回路基板２１４を介して電機子２１３に駆動電流が供給されることにより界磁用磁石２２２と電機子２１３との間で中心軸Ｊ１を中心とするトルクが発生してロータ部２２およびインペラ３が電機子２１３に対して中心軸Ｊ１を中心として相対回転する。
【００２２】
図４はインペラ３の底面図であり、図３および図４に示すように、インペラ３のカップ部３１は円筒状の側部３１１、および、側部３１１の上端を塞ぐ蓋部３１２を有する。カップ部３１の上部である蓋部３１２は中心軸Ｊ１に垂直な略円板状であり、下面からロータホルダ２２１に向かって（すなわち、下方に向かって）突出する複数の突起３１２１を有する。突起３１２１は周方向に等間隔な４箇所に配置され、カップ部３１の一部として樹脂により形成されている。
【００２３】
図５はロータホルダ２２１の底面図である。図３および図５に示すように、ロータホルダ２２１は円筒状の側部２２１１およびロータホルダ２２１の上部である蓋部２２１２を有し、蓋部２２１２は側部２２１１の上端をほぼ塞ぐ中心軸Ｊ１に垂直な略円板状となっている。また、蓋部２２１２は中央にシャフト２２３が取り付けられる穴部２２１３を有し、穴部２２１３の周囲に複数の固定穴２２１４を有する。固定穴２２１４は中心軸Ｊ１を中心とする周方向の８箇所に等間隔に配列されるとともにそれぞれが周方向に長い（すなわち、周方向の長さが中心軸Ｊ１を中心とする径方向の幅よりも長い）長穴とされる。各固定穴２２１４の周方向の長さ（各固定穴２２１４の径方向の中央における周方向の両端までの円弧状の距離であり、図５中に符号Ｌを付す。）は、インペラ３の突起３１２１の直径の２倍以上とされ、固定穴２２１４の幅（径方向の距離であり、図５中に符号Ｗを付す。）はインペラ３の突起３１２１の直径に対して僅かに大きくされる。
【００２４】
図３に示すように、インペラ３およびロータ部２２の組立時には、インペラ３およびロータ部２２がそれぞれの中心軸を一致させるとともにインペラ３の蓋部３１２の下面とロータ部２２の蓋部２２１２の上面とが対向するように配置され、インペラ３の各突起３１２１が対応する位置にあるロータホルダ２２１の固定穴２２１４に挿入されつつインペラ３のカップ部３１にロータホルダ２２１が軽圧入にて固定される。このとき、固定穴２２１４が周方向に長い穴であるため、固定穴２２１４に対して突起３１２１の位置を厳密に決定することなく挿入を行うことができ、組立作業が容易とされる。さらに、軽圧入の後、図２に示すように各突起３１２１の先端が熱溶着により溶融されて潰されることにより、カップ部３１にロータホルダ２２１が固定される。なお、熱溶着以外に超音波による溶融を利用する超音波溶着が採用されてもよい。
【００２５】
以上に説明したように、第１の実施の形態に係る送風ファン１では、固定穴２２１４が周方向に長い長穴とされることにより、ロータホルダ２２１を治具にセットしてロータホルダ２２１をインペラ３のカップ部３１に挿入する際に、カップ部３１に対するロータホルダ２２１の周方向の向きを正確に合わせることなくカップ部３１の突起３１２１をロータホルダ２２１の固定穴２２１４に挿入することができ、カップ部３１とロータホルダ２２１とを容易に組み立てて効率よく送風ファン１を組み立てることができる。また、固定穴２２１４の径方向の幅Ｗが突起３１２１の直径とほぼ等しくされるため、突起３１２１の先端が溶融された際に、固定穴２２１４の径方向の両側に溶融された突起３１２１の先端部が広がって熱溶着が確実に行われる。
【００２６】
ところで、送風ファン１の組立では、回転時のアンバランスを低減するために、予めロータホルダ２２１のアンバランスとインペラ３のアンバランスとが相殺されるようにロータホルダ２２１に対するインペラ３の向きが求められ、組立時にこの向きに従ってロータホルダ２２１がインペラ３のカップ部３１に軽圧入される。一方、送風ファン１では、固定穴２２１４の数が突起３１２１の数の２倍とされ、かつ、固定穴２２１４および突起が周方向に等間隔に配列されるため、固定穴２２１４に突起３１２１が挿入可能なカップ部３１に対するロータホルダ２２１の周方向の向きの数が、突起３１２１の数の２倍とされる。換言すれば、送風ファン１では、固定穴２２１４の数が突起３１２１の数と等しい場合（すなわち、ロータホルダ２２１の挿入可能な向きの数が突起３１２１の数と等しい場合）よりもカップ部３１に挿入することができるロータホルダ２２１の相対的な向きの数が多くなっている。
【００２７】
その結果、ロータホルダ２２１に対するインペラ３の向きの自由度を向上することができ、回転体であるロータ部２２の回転のバランス修正をより柔軟に行うことができる。さらに、図５のロータホルダ２２１では、固定穴２２１４の周方向の長さが突起３１２１の直径の２倍以上とされるため、ロータホルダ２２１に対するインペラ３の向きの自由度を向上することができ、ロータ部２２のバランスの微調整を行うことができる。
【００２８】
なお、固定穴２２１４の数が突起３１２１の数の整数倍とされて固定穴２２１４および突起３１２１が等間隔に配置されることにより、ロータホルダ２２１およびカップ部３１が回転対称となることからロータホルダ２２１およびインペラ３の設計を容易とすることができる。
【００２９】
また、固定穴２２１４が長穴とされることを利用して、少なくとも１つの固定穴２２１４の周方向の長さを他の固定穴２２１４の周方向の長さと僅かに異なるものとすることにより、ロータホルダ２２１における中心軸Ｊ１を中心とする回転のアンバランスが予め低減されてもよい（後述の図６および図８において同様）。この場合、例えば、予め周方向の長さが同一の複数の固定穴２２１４が形成されたロータホルダ２２１のアンバランスが測定されていずれかの固定穴２２１４の周方向の長さが修正され、修正結果に基づいて固定穴２２１４を形成するための金型のピンの形状が変更される。
【００３０】
図６はロータホルダの他の例を示す図である。図６のロータホルダ２２１ａでは図５のロータホルダ２２１と比較してロータホルダ２２１ａの固定穴２２１４ａの周方向の長さＬが幅Ｗの約１．２倍とされる点で異なり、他は同様となっている。
【００３１】
図６に示すロータホルダ２２１ａにおいても、インペラ３とロータホルダ２２１との組立作業の際に突起３１２１の位置を厳密に決定することなく挿入を行うことができ、組立作業が容易とされる。また、固定穴２２１４ａの数が突起３１２１の数の整数倍とされ、突起３１２１および固定穴２２１４ａが周方向に等間隔に配置されることにより、回転のバランス修正を柔軟に行うことができる。さらに、固定穴２２１４ａの面積が小さいため、固定穴２２１４ａが蓋部２２１２の強度に与える影響を抑制することができる。
【００３２】
図７は本発明の第２の実施の形態に係る送風ファンにおけるロータホルダ２２１ｂを示す底面図であり、ロータホルダ２２１ｂは図５のロータホルダ２２１と比較して固定穴の形状が円形とされ、他は同様である。送風ファンの他の部位も図１と同様となっている。ロータホルダ２２１ｂの固定穴２２１４ｂは中心軸Ｊ１を中心とする周方向の８箇所に等間隔に配列され、図４に示すインペラ３の４箇所の突起３１２１よりも径が僅かに大きい。インペラ３とロータホルダ２２１ｂとが組み立てられる際には、図２および図３と同様に、突起３１２１に対応する固定穴２２１４ｂのみに突起３１２１が挿入され、突起３１２１の先端が溶融されて潰されることによりロータホルダ２２１ｂがインペラ３に固定される。
【００３３】
図７のロータホルダ２２１ｂにおいても、固定穴２２１４ｂの数が突起３１２１の数の２倍とされ、かつ、固定穴２２１４ｂおよび突起３１２１が周方向に等間隔に配列されることにより、固定穴２２１４ｂに突起３１２１が挿入可能なインペラ３のカップ部３１に対するロータホルダ２２１ｂの向きの数が突起３１２１の数よりも多くされる。その結果、回転のバランス修正を柔軟に行うことが実現される。また、固定穴２２１４および突起３１２１の等間隔の配列により、ロータホルダ２２１ｂおよびインペラ３の設計が容易とされる。
【００３４】
図８は本発明の第３の実施の形態に係る送風ファンにおけるロータホルダ２２１ｃを示す底面図であり、ロータホルダ２２１ｃは図５のロータホルダ２２１と比較して固定穴の形状および数が異なり、他は同様である。ロータホルダ２２１ｃの固定穴２２１４ｃは図５のロータホルダ２２１の固定穴２２１４に比べて蓋部２２１２の強度が保たれる範囲で周方向にさらに長くされ、中心軸Ｊ１を中心とする周方向の４箇所に等間隔に配列される。ロータホルダ２２１ｃでは、図４に示すインペラ３に軽圧入されるとともに各突起３１２１が各固定穴２２１４ｃに挿入され、各突起３１２１の先端が溶融されて潰されることによりロータホルダ２２１ｃがインペラ３に固定される。
【００３５】
ロータホルダ２２１ｃにおいても、固定穴２２１４ｃが周方向に長くされることにより、カップ部３１（図４参照）に対するロータホルダ２２１ｃの周方向の向きを正確に合わせることなくカップ部３１の突起３１２１をロータホルダ２２１ｃの固定穴２２１４ｃに挿入することができ、カップ部３１とロータホルダ２２１ｃとを組み立てることが容易とされる。また、固定穴２２１４ｃが長い長穴とされることによりインペラ３に対するロータホルダ２２１ｃの向きの自由度を向上することができ、インペラ３およびロータホルダ２２１ｃのアンバランスの相殺によるロータ部２２の回転バランスの修正をさらに柔軟に行うことが可能とされる。
【００３６】
以上、本発明の実施の形態について説明してきたが、本発明は上記実施の形態に限定されるものではなく、様々な変更が可能である。
【００３７】
例えば、インペラ３の突起３１２１の数は４には限定されず、２以上であればいくつであってもよい。ロータホルダ２２１の固定穴２２１４の数は突起３１２１の数の２倍には限定されず、３以上の整数倍とされてもよい。また、固定穴２２１４の数が突起３１２１の数よりも多く、固定穴２２１４に突起３１２１が挿入可能なカップ部３１に対するロータホルダ２２１の向きの数が突起３１２１の数よりも多くされるのであれば、固定穴２２１４および突起３１２１の数は任意に設定されてよく、固定穴２２１４および突起３１２１の位置も周方向に等間隔とされなくてもよい。
【００３８】
インペラ３のカップ部３１へのロータホルダ２２１の固定において、突起３１２１の先端を溶融する手法は熱溶着または超音波溶着によるものには限定されず、他の手法であってもよく、例えば、レーザによるものでもよい。
【００３９】
インペラ３のカップ部３１はロータホルダ２２１の側部２２１１および蓋部２２１２の全体を覆わなくてもよく、少なくとも側部２２１１の一部および少なくとも蓋部２２１２の一部が覆われるのみでもよい。
【００４０】
送風ファン１は中心軸方向にエアが送出される軸流ファンには限定されず、中心軸に垂直な方向にエアが送出される遠心ファンであってもよい。
【図面の簡単な説明】
【００４１】
【図１】第１の実施の形態に係る送風ファンの縦断面図である。
【図２】インペラおよびロータ部の縦断面図である。
【図３】インペラおよびロータ部の分解図である。
【図４】インペラの底面図である。
【図５】ロータホルダの底面図である。
【図６】ロータホルダの他の例の底面図である。
【図７】第２の実施の形態に係るロータホルダの底面図である。
【図８】第３の実施の形態に係るロータホルダの底面図である。
【符号の説明】
【００４２】
１    送風ファン  
２    モータ部
３    インペラ
３１    カップ部
３２    翼
２２１，２２１ａ〜２２１ｃ    ロータホルダ
３１２    （カップ部の）蓋部
２２１１    （ロータホルダの）側部
２２１２    （ロータホルダの）蓋部
２２１４，２２１４ａ〜２１１４ｃ    固定穴
３１２１    突起
Ｊ１    中心軸
Ｌ    （固定穴の）長さ
Ｗ    （固定穴の）幅
【図１】
2009250158.tif 000003
【図２】
2009250158.tif 000004
【図３】
2009250158.tif 000005
【図４】
2009250158.tif 000006
【図５】
2009250158.tif 000007
【図６】
2009250158.tif 000008
【図７】
2009250158.tif 000009
【図８】
2009250158.tif 000010